(57)【要約】【課題】従来のＸ線ＣＴ装置には延長天板の装着の有無を検出する機構が無く、天板の可動範囲の設定は延長天板が装着されている場合を基準にしているので、延長天板が装着されていない場合、天板の可動範囲（つまり撮像範囲）を十分確保できないことがあった。【解決手段】延長天板３の装着の有無を光学的に検出する手段と検出された情報に対応して天板２の可動範囲を自動的に切替える手段を備えたものである。したがって、延長天板３が装着されていない場合でも、天板２の可動範囲（つまり撮像範囲）を十分確保することが可能となる。また、電気的な検出手段ではないためＸ線透過部に金属部品の配設が無く、アーチファクトの少ない断層画像が得られる。【選択図】          図１
2007215808.tif 000002
【特許請求の範囲】
【請求項１】
ベッド上部で水平移動する天板上に載架された被検者をガントリ内に移動させて断層画像を撮影する医用断層画像撮影装置において、前記天板への延長天板の装着の有無を金属性でない部材で構成されたシステムで検出する手段と検出された情報に対応して前記天板の可動範囲を自動的に切替える手段を備えたことを特徴とする医用断層画像撮影装置。
【請求項２】
金属性でない部材で構成されたシステムで検出する手段は、光学的に検出する手段であることを特徴とする請求項１記載の医用断層画像撮影装置。
【請求項３】
光学的に検出する手段は、光ケーブルで構成されることを特徴とする請求項２記載の医用断層画像撮影装置。
【発明の詳細な説明】
【技術分野】
【０００１】
本発明は、Ｘ線ＣＴ装置またはＭＲＩ装置などの医用断層画像撮影装置に係り、特に、被検者を乗せてガントリ部へ移動させるベッド天板に関する。
【背景技術】
【０００２】
医用断層画像撮影装置としてＸ線ＣＴ装置を例に挙げ以下に説明する。Ｘ線ＣＴ装置は、天板上に載架された被検者の体軸を中心にＸ線管とＸ線検出器が円周方向に回転しながらＸ線管からＸ線を放射し、それと対向した円形配置の複数個の検出器で被検者を透過したＸ線量を検知して、その信号をコンピュータ処理して画像を構成するものである。その回転速度は、高級機クラスのフルスキャン（３６０度）で１秒以下である。このスキャン中に、例えば腹部スライスであれば、Ｘ線条件としては１２０ｋＶ、２００ｍＡｓ程度のＸ線量が被検者に照射される。
【０００３】
このＸ線ビームはＸ線管の射出口のコリメータで扇状に絞られ、被検者に当たり一部は散乱し、透過したＸ線が複数個の検出器に入射して画像情報として処理される。スパイラルスキャンモード（天板を一定速度でガントリー内に移動し、Ｘ線管と検出器を連続回転して撮影するもので、ヘリカルスキャンモードともいう）による高速連続撮影は、天板の移動を撮影中に行うため広い範囲を短時間で撮影できるので、ＣＴの主流として普及している。検出器からの出力信号はデータ収集部を経由してメモリに記憶され、システム制御の中枢であるホストＣＰＵと画像再構成装置とスキャン制御部などによりデータ処理が行われ、画像が再構成されてモニタに表示される。
【０００４】
最近、画像再構成処理速度が従来の１０倍以上に高速化できるようになり、スキャン中に並行してリアルタイムで画像を毎秒数コマの速度で動画のように表示できる機能を有したＣＴ透視法が実用化され、従来のＸ線透視のようにリアルタイムで連続的に観察できる。上記のように被検者の診断部位をスライスしてその断層像を得るためには、天板に載架された被検者をガントリ内の回転軸の高さまで上げ回転中心のスライス位置まで診断部位（撮影部位）を移動しなければならない。そして、スパイラルスキャンモードによる高速連続撮影時には、天板上に載架された被検者を所定の速度で移動させて広い範囲を短時間で撮影する。
【０００５】
被検者の撮影部位の位置合わせにあたっては、まず、ガントリの手前で第１投光器を使って位置合わせを行い、続いて天板を所定距離だけ移動させ、第２投光器を使って撮影目標部位の確認を行っている。ガントリがティルトする場合は第１投光器と第２投光器とが同様にティルトするように構成されている。（例えば特許文献１参照）
【０００６】
このようなＸ線ＣＴ装置においては、天板に延長天板を装着して被検者の撮影をする場合と延長天板を装着しないで被検者の撮影をする場合がある。この２つの場合で、装着する延長天板の長さに対応して天板移動の可動範囲の設定を変更する必要がある。しかし、延長天板の装着の有無をマイクロスイッチなどの電気的なセンサで検出する場合は、天板に金属部品が含まれることになり、断層撮影画像にアーチファクト（偽像）が生起する。したがって従来のＸ線ＣＴ装置には延長天板の装着の有無を検出する機構が無く、天板の可動範囲の設定は延長天板が装着されている場合を基準にしている。
【特許文献１】特開平７−１２４１４８号公報
【発明の開示】
【発明が解決しようとする課題】
【０００７】
上記Ｘ線ＣＴ装置においては、延長天板の装着の有無に対応して天板移動の可動範囲の設定を手動で操作する必要があり、操作忘れが生起され、延長天板が装着されていない場合、天板の可動範囲（つまり撮像範囲）を十分確保できないことがあった。
【課題を解決するための手段】
【０００８】
本発明は上記課題を解決するために、ベッド上部で水平移動する天板上に載架された被検者をガントリ内に移動させて断層画像を撮影する医用断層画像撮影装置において、前記天板への延長天板の装着の有無を光学的に検出する手段と検出された情報に対応して前記天板の可動範囲を自動的に切替える手段を備えたものである。したがって、延長天板が装着されていない場合でも、天板の可動範囲（つまり撮像範囲）を十分確保することが可能となる。
【発明の効果】
【０００９】
本発明によれば、延長天板の装着の有無を電気的ではなく光学的に検出しており、天板に金属部品を配設する必要が無いためアーチファクトの生起が少ない断層撮影画像が得られ、延長天板の装着の有無に対応して常に天板の可動範囲（つまり撮影範囲）が自動的に最適な値に設定され、診断の効率を向上するという効果がある。
【発明を実施するための最良の形態】
【００１０】
延長天板の装着の有無を光学的に検出する手段は、断層撮影画像のアーチファクトの生起を極力抑えるために、プラスチック製の光ケーブルで構成される。延長天板が装着されている場合は光源から出た光が受光器に入射し、延長天板が装着されていない場合は光源から出た光が受光器に入射しないように光ケーブルを配設し、延長天板の有無を検出する。
金属部品で構成される光源および受光部は、断層撮影画像のアーチファクトを少なくするため天板およびガントリから隔離して配設される。
天板の移動に伴い動く光ケーブルの損傷を防止するため、光ケーブル処理部およびケーブル収納部が備えられる。
【００１１】
光源から出る光および受光器で検出できる光は、医用断層画像撮影装置が設置されている室内に通常存在しない近赤外光であり、延長天板の装着の有無を光学的に検出する手段は、前記室内に存在する光に影響されない。
【実施例】
【００１２】
以下、本発明の実施例を説明する。図１は本発明の構成を概略的に示す図であり、（ａ）はその上面図、（ｂ）はその側面図である。図１において、１はＸ線ＣＴ装置のベッド、２はベッド１上に配設され被検者が載架される天板でベッド１上を移動できる。３は天板２の延長を必要とするとき天板２に挿着される延長天板で装着位置は位置決めピンで精度よく決められる。４は光ケーブルで、プラスチックで構成され、その一端から光源の光が導入され、その一部分が天板２の内部に付設される。５は光ケーブルで、プラスチックで構成され、その一端からの出射光が受光器で検出され、その一部分が天板２の内部に付設される。６は光ケーブルで、プラスチックで構成され、延長天板３の内部に付設される。７は光ケーブル処理部で、光ケーブル４および光ケーブル５を常時一定のテンションで牽引し天板２の移動に際し生起するたるみを無くし光ケーブルを損傷から守り操作者の作業の障害とならないように機能する。８はケーブル収納部で、天板２の移動に伴い光ケーブル処理部７より出入りする光ケーブル４および光ケーブル５を収納する。ケーブル収納部８は内部が空間の箱であり、光ケーブル４および光ケーブル５は該箱の中に自重で垂れ下がり収納される。９は延長天板着脱検出部で、延長天板３の着脱を検出する機能を有する。天板２と延長天板３の挿着対向面における光ケーブル４の端面と光ケーブル６の一方の端面は共に研磨され同軸で対向近接（延長天板３の装着時）し、光ケーブル５の端面と光ケーブル６の他の一方の端面は共に研磨され同軸で対向近接（延長天板３の装着時）し構成される。
【００１３】
図２は延長天板３の着脱（装着の有無）を検出するための構成を示す図である。図２において、延長天板着脱検出部９は光源９１、光導入部９２、集光部９３、受光器９４および出力回路９５などから構成される。光源９１は発光ダイオードなどで構成され、光導入部９２はレンズなどで構成され、光源９１から放射される光を集光し光ケーブル４の一端へ効率よく導入する。延長天板３が装着されているときは光ケーブル６の端面と光ケーブル４と光ケーブル５の端面の距離ｄがゼロとなり、光ケーブル４に導入された光は多少のロスが生ずるものの光ケーブル６を通過し光ケーブル５に伝達されるが、延長天板３が装着されていないときは光ケーブル４に導入された光は光ケーブル６以降に伝達されない。集光部９３はレンズなどで構成され、光ケーブル５の一端からその開口数で決まる角度で放射される光を集光し、フォトダイオードなどで構成される受光器９４に導入する。出力回路９５は受光器９４からの電気信号を増幅する増幅回路と増幅された信号を所定の基準値と比較する比較回路などから構成され、その出力信号は延長天板装着の有無に対応して２つのレベルを持つ。
【００１４】
図３はＸ線ＣＴ装置のブロック構成を示す図である。図３において、ガントリ・ベッド制御装置１０は、延長天板３の装着の有無を示す延長天板着脱検出部９の出力信号を受けホストＣＰＵ１１に送信し、あらかじめ記憶装置１２に記憶されている延長天板３の装着の有無に対応して決められた天板２の可動範囲のうち対応する可動範囲をホストＣＰＵ１１から受信し、該可動範囲内で天板２が移動するようにベッド１に天板２の移動制御信号を送信する。ベッド１は該天板２の移動制御信号に従い天板２を移動させる。ガントリ２０にはＸ線管２１とそれに対向配置の複数個の検出器２２が配設され、天板２または天板２および延長天板３上に載架された被検者がガントリ２０内に移動され、その診断部位（撮影部位）で被検者の体軸を中心にＸ線管２１と検出器２２が円周方向に回転しながらＸ線管２１からＸ線を放射し、被検者を透過したＸ線量を検出器２２で検知して、その信号をコンピュータ処理して断層画像が構成される。
【００１５】
本発明は以上の構成であるから、延長天板３が装着されていない場合は、光源９１から出た光は光導入部９２を通過して光ケーブル４の一端に導入され他の一端から放射されるが、近傍に光ケーブル６の一端がないため光ケーブル６、光ケーブル５、集光部９３および受光器９４には伝達されず、出力回路９５の出力信号は延長天板３の装着無しのレベルとなる。ガントリ・ベッド制御装置１０は、延長天板３の装着無しの出力信号を受けホストＣＰＵ１１に送信し、あらかじめ記憶装置１２に記憶されている延長天板３の装着無しのときに適切な天板２の可動範囲をホストＣＰＵ１１から受信し、該可動範囲内で天板２が移動するようにベッド１に天板２の移動制御信号を送信する。ベッド１は該天板２の移動制御信号に従い天板２を移動させる。
延長天板３が装着されている場合は、光源９１から出た光は光導入部９２を通過して光ケーブル４の一端に導入され他の一端から放射され、近接した光ケーブル６の一端に入射し、光ケーブル６の他の一端より近接した光ケーブル５の一端に伝達され、光ケーブル５の他の一端から放射され、集光部９３で受光器９４に集光され、出力回路９５の出力信号は延長天板３の装着有りのレベルとなる。ガントリ・ベッド制御装置１０は、延長天板３の装着有りの出力信号を受けホストＣＰＵ１１に送信し、あらかじめ記憶装置１２に記憶されている延長天板３の装着有りのときに適切な天板２の可動範囲をホストＣＰＵ１１から受信し、該可動範囲内で天板２が移動するようにベッド１に天板２の移動制御信号を送信する。ベッド１は該天板２の移動制御信号に従い天板２を移動させる。
【００１６】
図１、図２および図３に示す実施例においては、Ｘ線ＣＴ装置を例に挙げて説明しているが、ＭＲＩ装置においても本発明は適用可能であり装置は図示例に限定されない。
また、図示例では延長天板着脱検出部９がベッド１の内部（固定部）に配設されているが、該延長天板着脱検出部９を天板２（移動部）内に配設することにより光ケーブル処理部７およびケーブル収納部８が不要となる。この場合、金属性部材で構成される該延長天板着脱検出部９は天板２が最大移動範囲を移動しても常にガントリ２０から離れている場所に配設され、アーチファクトの少ない画像が得られる。
また、図示例では３本の光ケーブルを使い３本が光伝達のループを閉じているか否かで延長天板３の装着の有無を検出しているが、光ケーブル４と光ケーブル５を延長天板３の装着面で近接して配設し、光ケーブル４から出た光が延長天板３で反射して光ケーブル５に入射する場合は延長天板３の装着有り、反射光が光ケーブル５に入射しない場合は装着無しとして装着の有無を検出できる。
このように光ケーブルは種々の構成とすることができ、本発明はこれら変形例を包含する。
【産業上の利用可能性】
【００１７】
本発明は、Ｘ線ＣＴ装置またはＭＲＩ装置などの医用断層画像撮影装置に係り、特に、被検者を乗せてガントリ部へ移動させるベッド天板に関する。
【図面の簡単な説明】
【００１８】
【図１】本発明の構成を概略的に示す図
【図２】延長天板の着脱を検出部するための構成図
【図３】Ｘ線ＣＴ装置のブロック構成を示す図
【符号の説明】
【００１９】
１  ベッド
２  天板
３  延長天板
４  光ケーブル
５  光ケーブル
６  光ケーブル
７  光ケーブル処理部
８  ケーブル収納部
９  延長天板着脱検出部
１０  ガントリ・ベッド制御装置
１１  ホストＣＰＵ
１２  記憶装置
２０  ガントリ
２１  Ｘ線管
２２  検出器
９１  光源
９２  光導入部
９３  集光部
９４  受光器
９５  出力回路
【図１】
2007215808.tif 000003
【図２】
2007215808.tif 000004
【図３】
2007215808.tif 000005